(57)【要約】      （修正有）【課題】歯科治療中に口腔外バキュームの先端に取付けて使用するバキュームチップに関し、吸引口が口の中に吸着する問題点を解消したバキュームチップを提供する。【解決手段】円筒形状のバキュームチップの吸引口である先端開口部２の近傍にチップゴムの肉厚の半分程度の空間を開けた刳り貫き状のＶ字形の切り込みを入れた構造にすることにより、吸引口２が口の中に吸着或いは吸着しそうになり、バキュームチップ内の空気圧が下がった時Ｖ字形切れ込みの先端部がバキュームチップの中に抵抗なく吸い込まれる開閉弁４となり、隙間５ができ吸引口の役目をすると同時に、通気口となり空気が流入しバキュームチップ内の空気圧が回復して吸着していた吸引口が剥離する。尚Ｖ字形の切り込みを一度断ちでなく空間を開けた刳り貫き状にしたものとする事で開閉がスムースとなるだけでなく、再使用時の為の洗浄・消毒の効果も高め清潔なものとすることができる。【選択図】図３
2008194433.tif 000002
【特許請求の範囲】
【請求項１】
円筒形状のバキュームチップゴム本体先端を、傾斜した切り落としをしてできた開口部を吸引口とし、その近傍にチップゴムの肉厚の半分程度の空間を開けた刳り貫き状のＶ字形の切り込みを入れた形状を特徴とする歯科用バキュームチップ。
【請求項２】
円筒形状のバキュームチップ用ゴム本体先端部分を直角に切り落とした、或いは先端の対面する二ケ所を傾斜した切り落としをして残りの部分が二股となった、或いは先端部分の円周を三等分した各所を傾斜した切り落とした残りの部分が三股となった開口部を吸引口とし、その近傍にチップゴムの肉厚の半分程度の空間を開けた刳り貫き状のＶ字形の切り込みを入れた形状を特徴とする歯科用バキュームチップ。
【発明の詳細な説明】
【技術分野】
【０００１】  本発明は、歯の治療時に使用する歯科用バキュームチップに関するものである。
【背景技術】
【０００２】  従来のバキュームチップは「図１」のごとく、吸引口である円筒形状のバキュームチップ先端開口部が、横から見て傾斜したカットを基本として、傾斜角度を途中から変えたり或いは中央部分が低くなるように彎曲した曲線形状に形成されている。
【発明の開示】
【発明が解決しようとする課題】
【０００３】  上記のバキュームチップ吸引口は、バキュームチップ先端部分を斜にカットした形状をしているので、開口面積が広くなっているが、それでも治療中バキュームチップの吸引口が口の中に吸着してしまう事があり、作業性が悪く、看者には不快なものであった問題点を解消する。
【課題を解決するための手段】
【０００４】  バキュームチップの吸引口である先端開口部の近傍にバキュームチップの肉厚の半分程度の空間を開けた刳り貫き状のＶ字形の切り込みを入れた構造にして、吸引口が口の中に吸着或いは吸着しそうになり、バキュームチップ内の空気圧が下がった時Ｖ字形切れ込みの先端部がバキュームチップの中に吸い込まれる開閉弁となるようにして、吸引された開閉弁によって出来た隙間が吸引口の役目をすると同時に、通気口となり空気が流入してバキュームチップ内の空気圧が回復して吸着しないようにする。
【発明の効果】
【０００５】  円筒形状のバキュームチップの吸引口である先端開口部の近傍にゴムの肉厚の半分程度の空間を開けた刳り貫き状のＶ字形の切り込み入れた構造にすることにより、通常時の吸引能力を落とすこともなく、吸引口が口の中に吸着或いは吸着しそうになり、バキュームチップ内の空気圧が下がった時、Ｖ字形切れ込みの先端部がバキュームチップの中に吸い込まれる開閉弁となり、出来た隙間が吸引口の役目をすると同時に、通気口となり空気が流入しバキュームチップ内の空気圧が回復して吸引口が吸着することが無くなる。
尚空間のある刳り貫き状の切り込みを入れる事で、開閉がスムースとなるだけでなく再使用時の為の洗浄・消毒の効果も高めることができる。
【実施例１】
【０００６】「請求項１」の歯科用バキュームチップは、円筒形状のゴムチューブの先端を斜に切り落として出来た開口部を吸引口として、その近傍に「図２の記号３」のごとくチップの肉厚の半分程度の空間を開けた刳り貫き状のＶ字形の切り込み「図４」を入れた構造にすることにより、通常時の吸引能力を落とすこともなく、吸引口が口の中に吸着或いは吸着しそうになり、バキュームチップ内の空気圧が下がった時Ｖ字形切れ込みの先端部が「図３の記号４」のごとくバキュームチップの中に抵抗なく吸い込まれる開閉弁となり、「図３の記号５」の隙間ができ吸引口の役目をすると同時に、通気口となり空気が流入しバキュームチップ内の空気圧が回復して吸引口が吸着することが無くなる。
【実施例２】
【０００７】「請求項２」の歯科用バキュームチップは、刳り貫き状のＶ字形切れ込みの位置と数を「実施例１」のように限定することなく下記のように、円筒形状のバキュームチップ用ゴム本体先端部分を直角に切り落として出来た開口部を吸引口として、その近傍にＶ字形切れ込みを入れる「図面なし」、或いはチップゴム本体先端の対面する二ケ所を斜に切り落として残った部分が二股となった開口部を吸引口とし、その上部に「図７の記号３」又は側面に「図８の記号３」のように対面する位置二ケ所に入れる、或いはチップゴム本体先端部分の円周を三等分した各所を斜に切り落としてできた残りの部分が三股となった開口部上に「図９の記号３」又は側面に「図１０の記号３」のように三ケ所を入れれば、吸引口が口の中に吸着或いは吸着しそうになり、バキュームチップ内の空気圧が下がった時各Ｖ字形切り込みの先端部分が吸い込まれる開閉弁となり、「図３の記号５」と同様の隙間ができ吸引口の役目をすると同時に、通気口となり空気が流入しゴムチューブ内の空気圧が回復して吸引口が吸着することが無くなる。但しＶ字形切り込みの数が増えると吸引能力が低下することが有得るので、吸引能力を上げるか、再使用の為の洗浄・消毒効果を考慮の上刳り貫き幅を狭くする等の必要な対処と選択をすれば良い。
【産業上の利用可能性】
【０００８】  本発明の歯科用バキュームチップは、チップゴム先端の吸引口としての開口部の近傍にゴムの肉厚の半分程度の空間を開けた刳り貫き状のＶ字形の切り込みを入れることにより、治療中バキュームチップの吸引口が口の中に吸着することが無くなり、医師の作業効率を高め且つ治療を受ける患者の不快感を解消することができる。更に切り込みを刳り貫き状とすることで開閉がスムースとなるだけでなく、再使用時の為の洗浄・消毒の効果も高め清潔なバキュームチップを再使用することができる。
更に「請求項２」のようにバキュームチップの先端部分の色々な形状の中から、各種吸引機器の先端に相応しい形状を選択して取付けて使用することができ、歯科治療用のバキュームチップとしてだけでなく利用の可能性は広い。
【図面の簡単な説明】
【００９】
【図１】  現在一般に使用されているバキュームチップの斜視図。
【図２】  Ｖ字形切り込みを一ケ所入れた斜視図。
【図３】  「図２」の吸引部の先端が吸着或いは吸着しそうになりゴム内の空気圧が下がった時Ｖ字形切り込みの先端部分がゴム内に吸い込まれ隙間ができた状態の斜視図。
【図４】  刳り貫き状のＶ字形切り込み部分の拡大図。
【図５】  吸引口上部にＶ字形切り込み二ケ所を入れた斜視図。
【図６】  吸引口側面にＶ字形切り込み二ケ所を入れた斜視図。
【図７】  二股の股の上にＶ字形切り込み二ケ所を入れた斜視図。
【図８】  二股の股の側面にＶ字形切り込み二ケ所を入れた斜視図。
【図９】  三股の股の上にＶ字形切り込み三ケ所を入れた斜視図。
【図１０】  三股の股の側面にＶ字形切り込み三ケ所を入れた斜視図。
【符号の説明】
【００１０】１    バキュームチップ本体。
２    バキュームチップ先端の開口した吸引部。
３    Ｖ字形切り込み。
４    吸引部が口の中に吸着した時Ｖ字形切り込みが管内に吸い込まれた状態。
５    Ｖ字形切り込みが管内に吸い込まれてできた隙間。
６    刳り貫き形状のＶ字形切り込みの拡大図。
７    二股・三ツ股形状の脚部
【図１】
2008194433.tif 000003
【図２】
2008194433.tif 000004
【図３】
2008194433.tif 000005
【図４】
2008194433.tif 000006
【図５】
2008194433.tif 000007
【図６】
2008194433.tif 000008
【図７】
2008194433.tif 000009
【図８】
2008194433.tif 000010
【図９】
2008194433.tif 000011
【図１０】
2008194433.tif 000012